(57)【特許請求の範囲】
【請求項１】
使用者の足のための弾性支持を提供するミッドソール本体要素であって、
第１硬さ（ｄｕｒｏｍｅｔｅｒ）を有し、靴底の大部分の面積に延長する少なくとも弾性的に圧縮可能な第１材料（ｅｌａｓｔｉｃａｌｌｙ  ｃｏｍｐｒｅｓｓｉｂｌｅ  ｆｉｒｓｔ  ｍａｔｅｒｉａｌ）を含むミッドソール本体要素と、
歩行時（ｗａｌｋｉｎｇ）またはランニング（ｒｕｎｎｉｎｇ）時に使用者の足に対して長さ方向の誘導を提供し、かつ前記第１硬さよりも大きい第２硬さを有する第２材料を含む長さ方向の回内運動誘導要素（ｌｏｎｇｉｔｕｄｉｎａｌ  ｐｒｏｎａｔｉｏｎ  ｇｕｉｄｉｎｇ  ｅｌｅｍｅｎｔ）であって、
前記靴底の幅よりも実質的に狭く、かつ前記長さ方向の回内運動誘導要素の踵（ｈｅｅｌ）領域から前記長さ方向の回内運動誘導要素の足指（ｔｏｅ）領域まで最適歩行圧力の所定の、実質的にＳ字型の長さ方向線に沿って延長する長さ方向の回内運動誘導要素と、を含み、
前記長さ方向の回内運動誘導要素は、前記ミッドソール本体要素の足対向表面領域（ｆｏｏｔ−ｆａｃｉｎｇ  ｓｕｒｆａｃｅ  ｒｅｇｉｏｎ）内に位置し、その長さに沿って踵から足指までの順序（ｈｅｅｌ−ｔｏ−ｔｏｅ  ｏｒｄｅｒ）で、踵領域、中足（ｍｉｄ−ｆｏｏｔ）領域、母指球領域（ｂａｌｌ領域）および足指領域を含み、前記靴底は、前記踵領域または足指領域においてよりも前記長さ方向の回内運動誘導要素の前記中足領域においてさらに大きい前記靴底の全体硬さを提供する歩行増強要素を含む履物用靴底。
【請求項２】
歩行時またはランニング時に地面と足の初期接触段階中に使用者の足の過剰回内運動（ｏｖｅｒｐｒｏｎａｔｉｏｎ）に抵抗する内側回内運動制御要素（ｍｅｄｉａｌ  ｐｒｏｎａｔｉｏｎ  ｃｏｎｔｒｏｌ  ｅｌｅｍｅｎｔ）を含み、
前記内側回内運動制御要素は、前記ミッドソール本体要素の内側（ｍｅｄｉａｌ  ｓｉｄｅ）上に位置し、かつミッドソール本体要素の実質的に後半部内に位置し、前記内側回内運動制御要素は、前記第１硬さよりも大きい第３硬さを有する弾性の第３材料を含むことを特徴とする請求項１に記載の履物用靴底。
【請求項３】
歩行時またはランニング時に地面と足の中間歩行（ｍｉｄ−ｇａｉｔ）接触段階中に前記使用者の足の回外運動（ｓｕｐｉｎａｔｉｏｎ）に抵抗する外側回内運動制御要素（ｌａｔｅｒａｌ  ｐｒｏｎａｔｉｏｎ  ｃｏｎｔｒｏｌ  ｅｌｅｍｅｎｔ）を含み、
前記外側回内運動制御要素は、ミッドソール本体要素の外側（ｌａｔｅｒａｌ  ｓｉｄｅ）の領域および前記靴底の長さに沿って中間点にある外側面の少なくとも一部分内に位置し、前記外側回内運動制御要素は、前記第１硬さよりも大きい第４硬さを有する弾性の第４材料を含むことを特徴とする請求項２に記載の履物用靴底。
【請求項４】
前記内側回内運動制御要素、前記外側回内運動制御要素、前記長さ方向の回内運動誘導要素および前記歩行増強要素のうち少なくとも１つは、前記ミッドソール本体要素の隣接領域として形成されることを特徴とする請求項３に記載の履物用靴底。
【請求項５】
前記第２硬さは、前記第１硬さよりも少なくとも１０ショア（Ｓｈｏｒｅ）大きいことを特徴とする請求項１〜４のいずれか１項に記載の履物用靴底。
【請求項６】
前記第２硬さは、前記第１硬さよりも少なくとも２０ショア大きいことを特徴とする請求項１〜５のいずれか１項に記載の履物用靴底。
【請求項７】
前記第１硬さは、３０ショア〜５０ショアの範囲内にあることを特徴とする請求項１〜６のいずれか１項に記載の履物用靴底。
【請求項８】
前記歩行増強要素は、前記中足領域内に前記長さ方向の回内運動誘導要素の肥厚部（ｔｈｉｃｋｅｎｉｎｇ）を含むことを特徴とする請求項１に記載の履物用靴底。
【請求項９】
前記中足領域は、隣接する前記踵領域および母指球領域よりも前記長さ方向の回内運動誘導要素の厚さが大きくて、かつ前記ミッドソール本体要素の厚さが小さく、前記中足領域にける前記長さ方向の回内運動誘導要素および前記ミッドソール本体要素の組合せ硬さが、前記隣接する踵領域および母指球領域における前記長さ方向の回内運動誘導要素および前記ミッドソール本体要素の組合せ硬さよりも実質的に大きいことを特徴とする請求項８に記載の履物用靴底。
【請求項１０】
前記長さ方向の回内運動誘導要素の前記中足領域の厚さは、前記中足領域における前記ミッドソール本体要素の厚さと実質的に同一であることを特徴とする請求項８または９に記載の履物用靴底。
【請求項１１】
前記靴底に対する地面接触外部表面を提供するアウトソールを含み、前記アウトソールは、前記第１硬さよりも大きい第５硬さを有し、前記靴底の大部分の面積に延長する少なくとも１つの第５材料を含み、
前記長さ方向の回内運動誘導要素の前記中足領域の厚さは、前記中足領域における前記ミッドソール本体要素および前記アウトソールの組合せ厚さと実質的に同一であり、前記アウトソールは、開口を含み、前記長さ方向の回内運動誘導要素の前記中足領域の前記第２材料が、前記アウトソール内の前記開口内に延長していることを特徴とする請求項８または９に記載の履物用靴底。
【請求項１２】
前記長さ方向の回内運動誘導要素は、前記踵領域、前記中足領域、前記母指球領域および前記足指領域のうち１つ以上において実質的に平行な最上部表面および最下部表面を有することを特徴とする請求項１〜１１のいずれか１項に記載の履物用靴底。
【請求項１３】
前記長さ方向の回内運動誘導要素の前記最上部表面および最下部表面は、前記長さ方向の回内運動誘導要素にわたって相互に対して傾き、前記長さ方向の回内運動誘導要素が実質的にウェッジ形状の横断面（ｗｅｄｇｅ−ｓｈａｐｅｄ  ｔｒａｎｓｖｅｒｓｅ  ｃｒｏｓｓ−ｓｅｃｔｉｏｎ）を有することを特徴とする請求項１２のいずれか１項に記載の履物用靴底。
【請求項１４】
前記長さ方向の回内運動誘導要素の前記最上部表面および最下部表面のうち一方または両方は、湾曲形状（ｃｕｒｖｅｄ  ｓｈａｐｅ）の横断面を有することを特徴とする請求項１２または１３のいずれか１項に記載の履物用靴底。
【発明の詳細な説明】
【技術分野】
【０００１】
本発明は、使用者の歩行（ｇａｉｔ）を改善するために使用者の足に感覚情報を提供し、自己補正を促すように設計された靴底（ｓｏｌｅ）を有する履物に関するものである。
【背景技術】
【０００２】
通常、このような靴底は、靴底に沿って踵から足指まで[踵部（ｈｅｅｌ  ｐｏｒｔｉｏｎ）、中足部（ｍｉｄｆｏｏｔ  ｐｏｒｔｉｏｎ）、母指球部（ｂａｌｌ  ｐｏｒｔｉｏｎ）および前足部（ｆｏｒｅｆｏｏｔ  ｐｏｒｔｉｏｎ）を含む]の順に構成され 、踵部、中足部および母指球部は、使用者の足の土踏まず（ａｒｃｈ）の下に位置するアーチ領域の外側（ｌａｔｅｒａｌ  ｓｉｄｅ）に沿って連続している。
【０００３】
このようなタイプの靴底は、主にランニング（ｒｕｎｎｉｎｇ）時または歩行（ｗａｌｋｉｎｇ）時の地面からの衝撃を緩和するために、靴底の踵部、中足部、母指球部および前足部の一部または全部に足のためのクッション要素を備えることによって、および／または主に足を安定化させ、ランニングまたは歩行方向（長さ方向）を横断する方向に対する足の傾きをいずれも防止するか、または少なくとも最小化するために、靴底の最下部表面全体にわたって広がるサポート要素を備えることによって、ユーザーの快適さを増加させる。
【０００４】
長期間にわたってこのようなタイプの靴底の履物を着用することは、これらの履物を使用する人々の無関心かつ受身な態度と関係している。ロングランにおいて、大部分の人々が自然にまたは“正確に（ｃｏｒｒｅｃｔｌｙ）”歩行する方法を忘れる。長時間の不自然なまたは“不正確な（ｉｎｃｏｒｒｅｃｔ）”歩行が、膝、尻および背中の問題のように、身体全体に対して有害な影響を及ぼすことが分かっている。一方、自然に歩行する方法を“再発見すること（ｒｅｄｉｓｃｏｖｅｒｉｎｇ）”により、人の身体における多くの問題点が緩和されるか、解消されることが示されている。
【０００５】
次の内容は、自然なまたは“正確な（ｃｏｒｒｅｃｔ）”歩行（全力疾走（ｓｐｒｉｎｔｉｎｇ）は除外）をする全ての人から実際に確認されたものである。
【０００６】
−第１足は、初めにその踵が、またはその踵および中足が同時に地面と接触し；
−その後、第１足は、少し足をひねらせて（かつ理想的には滑ること（ｓｌｉｐｐｉｎｇ）なしに）地面上で転がり（ｒｏｌｌ）を始め、第１足の靴底がその踵部または中足部、その母指球部および前足部の順で地面と接触し；
−このような第１足の転がり動作（ｒｏｌｌｉｎｇ  ａｃｔｉｏｎ）の終わり頃に、第２足は、その踵が、またはその踵と中足とが同時に地面と接触する。その後、第１足が地面から離れ；
−その後、第２足は、少し足をひねらせて（かつ理想的には滑ることなしに）地面上で転がり始め、第２足の靴底がその踵部または中足部、その母指球部および前足部の順で地面と接触し；
−このような第２足の転がり動作の終わり頃に、第２足が地面から離れ、同時に、第１足は、再び、その踵、またはその踵および中足が同時に地面と接触し、歩行が続けられる。
【０００７】
前述した、足が交互に地面と接触する際の順序は、多少広くて／ぼやけた地面接触線（ｂｒｏａｄｅｎｅｄ／ｂｌｕｒｒｅｄ  ｇｒｏｕｎｄ  ｃｏｎｔａｃｔ  ｌｉｎｅ）として各足の靴底上に明確に特徴付けられる。健康な骨、腱（ｔｅｎｄｏｎ）、筋肉および神経を有し、自然な歩行行動を示す人において、このような最適の地面接触線は、各足の靴底上に、実質的に／略Ｓ字型の線を描く。線は、通常、踵部から始まり、中足部および母指球部に沿って通過して、通常、第１および第２中足骨（ｍｅｔａｔａｒｓａｌ）および一番目および二番目の足指の領域における前足部の内側（ｍｅｄｉａｌ  ｓｉｄｅ）上にある、前足部において終わる。
【０００８】
“回内運動（ｐｒｏｎａｔｉｏｎ）”という用語は、普通、地面との接触中に生じる足の外側の内向き回転（ｌａｔｅｒａｌ  ｉｎｗａｒｄｓ  ｒｏｔａｔｉｏｎ）を説明するのに使用される。ある程度の回内運動は、健康的な歩行のために自然で、好ましいものと見なされる。足が充分に内向きに回転しない場合、使用者が回外運動（ｓｕｐｉｎａｔｉｏｎ）で苦しんでいることになる。一方、足が回転しすぎる場合は、過剰回内運動（ｏｖｅｒｐｒｏｎａｔｉｏｎ）が生じたことになる。
【０００９】
次に、足の“内側（ｍｅｄｉａｌ）”および“外側（ｌａｔｅｒａｌ）”について説明する。“内側”という用語は、足の内面（ｉｎｎｅｒ  ｓｉｄｅ）（他方の足と対向する一方の足の側面）を指すものであり、“外側”という用語は、足の外面（ｏｕｔｅｒ  ｓｉｄｅ）（他方の足から離れて対向する一方の足の側面）を指すものである。
【００１０】
靴底の中央領域よりも高いデュロメータ値（ｄｕｒｏｍｅｔｅｒ  ｖａｌｕｅ）（硬さ（ｈａｒｄｎｅｓｓ））の靴底の周辺領域によって過剰回内運動および過小回内運動（ｕｎｄｅｒｐｒｏｎａｔｉｏｎ）／回外運動を補正する技術が特許文献１に開示されている。このような組合せにより、歩行時またはランニング時に足が強制的に回内運動の限界と回外運動の限界との間に収まるようになる。使用者は、これによって主に靴の幾何学的構造によってあらかじめ定められる特定の回内運動パターンを強制的に追従するようになる。
【００１１】
また、適切に配置された履物の中敷きによって過剰回内運動および過小回内運動／回外運動を補正する技術が特許文献２に開示されている。これらは、過剰回内運動および過小回内運動を補うことによって、使用者の快適さを増加させる利点を有するが、使用者がさらに健康的な歩行を行うように促進する効果はない。
【先行技術文献】
【特許文献】
【００１２】
【特許文献１】米国特許第４７５９１３６号明細書
【特許文献２】米国特許第５２８２３２６号明細書
【発明の概要】
【発明が解決しようとする課題】
【００１３】
したがって、本発明の目的は、上記文献に開示された履物用靴底の上記および他の欠点を克服するものである。特に、本発明の目的は、使用者の足に対する十分な感覚情報を提供し、足が回内運動または回外運動を自己補正（ａｕｔｏ−ｃｏｒｒｅｃｔ）するように促進する履物用靴底を提供することにある。
【課題を解決するための手段】
【００１４】
このために、本発明は、履物用靴底を提供することを目的とし、前記靴底は、
使用者の足のための弾性支持を提供するミッドソール本体要素（ｍｉｄｓｏｌｅ  ｂｏｄｙｅｌｅｍｅｎｔ）であって、第１硬さを有し、靴底の大部分の面積に延長する少なくとも弾性的に圧縮可能な第１材料（ｅｌａｓｔｉｃａｌｌｙ  ｃｏｍｐｒｅｓｓｉｂｌｅ  ｆｉｒｓｔ  ｍａｔｅｒｉａｌ）を含むミッドソール本体要素と、
歩行時またはランニング時に使用者の足に長さ方向の回内運動案内を提供する、第１硬さよりも大きい第２硬さを有する第２材料を含む長さ方向の回内運動誘導要素（ｌｏｎｇｉｔｕｄｉｎａｌ  ｐｒｏｎａｔｉｏｎ  ｇｕｉｄｉｎｇ  ｅｌｅｍｅｎｔ）であって、靴底の幅よりも実質的に狭く、かつ長さ方向の回内運動誘導要素の踵領域から長さ方向の回内運動誘導要素の足指領域まで最適の歩行圧力の所定の、実質的にＳ字型の長さ方向線（ｐｒｅｄｅｔｅｒｍｉｎｅｄ、ｓｕｂｓｔａｎｔｉａｌｌｙ  Ｓ−ｓｈａｐｅｄ  ｌｏｎｇｉｔｕｄｉｎａｌ  ｌｉｎｅ）に沿って延長する長さ方向の回内運動誘導要素と、を含み、
【００１５】
長さ方向の回内運動誘導要素は、ミッドソール本体要素の足対向（ｆｏｏｔ−ｆａｃｉｎｇ）表面領域内に位置し、その長さに沿って踵から足指までの順序（ｈｅｅｌ−ｔｏ−ｔｏｅ  ｏｒｄｅｒ）で、踵領域、中足（ｍｉｄ−ｆｏｏｔ）領域、母指球（ｂａｌｌ）領域および足指領域を含み、前記靴底は、前記踵領域または足指領域においてよりも前記長さ方向の回内運動誘導要素の前記中足領域においてさらに大きい前記靴底の全体硬さを提供する歩行増強要素を含む。
【００１６】
本発明の変形例によれば、靴底は、歩行時またはランニング時に地面と足の初期接触段階中に使用者の足の過剰回内運動に抵抗する内側回内運動制御要素を含むことができ、内側回内運動制御要素は、ミッドソール本体要素の内側面上に、かつミッドソール本体要素の実質的に後半部内に位置し、また、内側回内運動制御要素は、第１硬さよりも大きい第３硬さを有する弾性の第３材料を含む。
【００１７】
本発明の他の変形例によれば、靴底は、歩行時またはランニング時に地面と足の中間歩行（ｍｉｄ−ｇａｉｔ）段階中に使用者の足の回外運動に抵抗する外側回内運動制御要素を含むことができ、外側回内運動制御要素は、ミッドソール本体要素の外側面の領域内に、かつ靴底の長さに沿って中間点（ｍｉｄ−ｐｏｉｎｔ）にある前記外側面の少なくとも一部分内に位置し、また、外側回内運動制御要素は、第１硬さよりも大きい第４硬さを有する弾性の第４材料を含む。
【００１８】
本発明の他の変形例によれば、第２硬さは、第１硬さよりも少なくとも１０ショア（Ｓｈｏｒｅ）大きくてもよい。
【００１９】
本発明の他の変形例によれば、第２硬さは、第１硬さよりも少なくとも２０ショア大きくてもよい。
【００２０】
本発明の他の変形例によれば、第１硬さは、３０ショア〜５０ショアの範囲内であってもよい。
【００２１】
本発明の他の変形例によれば、長さ方向の回内運動誘導要素は、踵から足指までの順序でその長さに沿って、踵領域、中足領域、母指球領域および足指領域を含み、また、靴底は、踵または足指領域においてよりも長さ方向の回内運動誘導要素の中足領域においてさらに大きい靴底の全体硬さを提供する歩行増強要素を含む。
【００２２】
本発明の他の変形例によれば、歩行増強要素は、中足領域内に長さ方向の回内運動誘導要素の肥厚部（ｔｈｉｃｋｅｎｉｎｇ）を含む。
【００２３】
本発明の他の変形例によれば、中足領域は、隣接する踵領域および母指球領域よりも長さ方向の回内運動誘導要素の厚さが大きくて、かつミッドソール本体要素の厚さが小さく、中足領域における長さ方向の回内運動誘導要素およびミッドソール本体要素の組合せ硬さは、隣接する踵領域および母指球領域における長さ方向の回内運動誘導要素およびミッドソール本体要素の組合せ硬さよりも実質的に大きい。
【００２４】
本発明の他の変形例によれば、長さ方向の回内運動誘導要素の中足領域の厚さは、中足領域におけるミッドソール本体要素の厚さと実質的に同一である。
【００２５】
本発明の他の変形例によれば、靴底は、この靴底に対する地面接触外部表面を提供するアウトソール（ｏｕｔｓｏｌｅ）を含み、前記アウトソールは、第１硬さよりも大きい第５硬さを有し、靴底の大部分の面積に延長する少なくとも１つの第５材料を含み、長さ方向の回内運動誘導要素の中足領域の厚さは、中足領域におけるミッドソール本体要素およびアウトソールの組合せ厚さと実質的に同一であり、アウトソールは、開口を含み、長さ方向の回内運動誘導要素の中足領域の第２材料がアウトソール内の開口内に延長している。
【００２６】
本発明の他の変形例によれば、内側回内運動制御要素、外側回内運動制御要素、長さ方向の回内運動誘導要素および歩行増強要素のうち少なくとも１つは、ミッドソール本体要素の隣接領域として形成される。
【００２７】
本発明の他の変形例によれば、長さ方向の回内運動誘導要素は、踵領域、中足領域、母指球領域および足指領域のうち１つ以上において実質的に平行な最上部表面および最下部表面を有する。
【００２８】
本発明の他の変形例によれば、長さ方向の回内運動誘導要素の最上部表面および最下部表面は、長さ方向の回内運動誘導要素にわたって相互に対して傾き、長さ方向の回内運動誘導要素が実質的にウェッジ形状の横断面（ｗｅｄｇｅ−ｓｈａｐｅｄ  ｔｒａｎｓｖｅｒｓｅ  ｃｒｏｓｓ−ｓｅｃｔｉｏｎ）を有する。
【００２９】
本発明の他の変形例によれば、長さ方向の回内運動誘導要素の最上部表面および最下部表面のうち一方または両方は、湾曲された形状（ｃｕｒｖｅｄ  ｓｈａｐｅ）の横断面を有する。
【００３０】
靴底の足接触表面またはその近くにあるインソール（ｉｎｓｏｌｅ）に起因して、本発明による靴底が提供された履物を着用する歩行者またはランナーは、インソールと足の裏面との間に増加されるかまたは集中された圧力を経験する。その結果、歩行者またはランナーは、足の裏面において圧力線として実質的にＳ字型の線を感じる。
【００３１】
最適の地面接触（実質的にＳ字型の線）に沿って局所的に長さ方向または接線方向に横断する断面方向への靴底の硬さの増加に起因して、使用者は、その線の外側、すなわちその線から外れて位置する地点からよりは、その線上に位置する地点からの圧力または支持をさらに感じるはずであり、これによって、歩行者またはランナーが最適の地面接触の線から離脱する度に、歩行時またはランニング時に“一定のフィードバック（ｉｎｓｔａｎｔ  ｆｅｅｄｂａｃｋ）”および“感覚（ｆｅｅｌ）”を経験する。
【００３２】
“圧力（ｐｒｅｓｓｕｒｅ）”または“支持（ｓｕｐｐｏｒｔ）”または“加圧力（ｐｒｅｓｓｕｒｅ  ｆｏｒｃｅ）”または“支持力（ｓｕｐｐｏｒｔ  ｆｏｒｃｅ）”という表現は、本明細書で同義語として使用され、一定の面積を有する水平平面の力受容表面（ｈｏｒｉｚｏｎｔａｌｌｙ  ｐｌａｎａｒ  ｆｏｒｃｅ  ｒｅｃｅｉｖｉｎｇ  ｓｕｒｆａｃｅ）を有する垂直感応力メーター（ｖｅｒｔｉｃａｌｌｙ  ｓｅｎｓｉｔｉｖｅ  ｆｏｒｃｅ  ｍｅｔｅｒ）を使用して力を測定した場合に、単位面積当たりの平均測定力として全て定義される。“圧力”の値または“支持”の値または“加圧力”の値または“支持力”値は、“力受容表面に作用して、測定された垂直力を力受容表面の面積で割ったもの”として計算される。通常の支持力の値は、立っている時に測定された静的支持力または歩行中に測定された一定の動的支持力、より具体的には、地面上の足の転がり動作中に靴底の地面接触領域に局所的に作用する反力（地面力（ｇｒｏｕｎｄ  ｆｏｒｃｅ））に関するものである。
【００３３】
各足の転がり動作中に静止体重および動的力から生ずる動的力ベクトルの方向が最適の地面接触線を通過する限り、足が硬骨（ｓｈｉｎｂｏｎｅ）に対して、すなわち歩行またはランニング方向を横断する方向に回内運動するように（内部に向けて内側に傾くように）するか、または回外運動するように（外部に向けて外側に傾くように）する、足に対する傾き動作がないか、または少なくともほとんどない。
【００３４】
本発明による靴底を使用する者は、最適の地面接触線から離脱する度に、体重および足の向き（ｏｒｉｅｎｔａｔｉｏｎ）を変えるように、長さ方向の回内運動誘導要素２からの自己受容感覚（ｐｒｏｐｒｉｏｃｅｐｔｉｏｎ  ｓｅｎｓａｔｉｏｎ）によって仕向けられ、その結果、姿勢および歩行の所望の補正を行う。したがって、使用者は、比較的硬い長さ方向の回内運動誘導要素によって規定された最適の地面接触線に対応して、足の回内運動／回外運動の潜在意識的な自己補正（ｓｕｂｃｏｎｓｃｉｏｕｓ  ａｕｔｏ−ｃｏｒｒｅｃｔｉｏｎ）を行う。足の踵から足指までの地面との接触線は、最大圧力の経路をたどり、これによって、使用者の歩行は、所望の接触線形状を有する、さらに硬い材料の経路を提供することによって補正される。
【００３５】
潜在意識的な自己補正は、足首関節、膝関節、股関節、脊椎および関連した腱、筋肉および神経を含む身体の多くの部分に作用し、身体全体に対してよい影響を与える。
【００３６】
実質的にＳ字型の線に沿って伸び、足と接触する長さ方向の回内運動誘導要素は、歩行者またはランナーに対するフィードバックに寄与する。したがって、歩行者またはランナーは、歩行またはランニング時に、その理想的な方向性から足がどのように離脱しても、その離脱に感覚的に気付く。このフィードバック感知の過程は、自己受容と呼ばれる。
【図面の簡単な説明】
【００３７】
添付の図面を参照して本発明を説明する。
【００３８】
【図１】本発明の第１、第２および第３実施形態による靴底の一例を示す概略的な平面図である。
【図２】図１の靴底を示す概略的な斜視図である。
【図３ａ】本発明の第１実施形態の一例による図１の靴底を示す概略的な側面図である。
【図３ｂ】図３ａの靴底内に含まれる長さ方向の回内運動案内要素を示す概略的な斜視図である。
【図４ａ】本発明の第２実施形態の一例による図１の靴底を示す概略的な側面図である。
【図４ｂ】本発明の第３実施形態の一例による図１の靴底を示す概略的な側面図である。
【図４ｃ】図４ａまたは図４ｂの靴底内に含まれる長さ方向の回内運動案内要素を示す概略的な斜視図である。
【図５ａ】長さ方向の回内運動案内要素に対するプロファイルの一部の例を示す概略的な断面図である。
【図５ｂ】長さ方向の回内運動案内要素に対するプロファイルの一部の例を示す概略的な断面図である。
【図５ｃ】長さ方向の回内運動案内要素に対するプロファイルの一部の例を示す概略的な断面図である。
【図５ｄ】長さ方向の回内運動案内要素に対するプロファイルの一部の例を示す概略的な断面図である。
【図５ｅ】長さ方向の回内運動案内要素に対するプロファイルの一部の例を示す概略的な断面図である。
【図５ｆ】長さ方向の回内運動案内要素に対するプロファイルの一部の例を示す概略的な断面図である。
【図５ｇ】長さ方向の回内運動案内要素に対するプロファイルの一部の例を示す概略的な断面図である。
【図５ｈ】長さ方向の回内運動案内要素に対するプロファイルの一部の例を示す概略的な断面図である。
【図５ｉ】長さ方向の回内運動案内要素に対するプロファイルの一部の例を示す概略的な断面図である。
【００３９】
図面は、本発明の理解を助けるために提供されたものであることを留意しなければならない。図面は、添付の請求項に示した、追求する保護の範疇に対してどんな制限も暗示するものと理解してはならない。他の図面で、同一の参照番号が使用される場合、これらは、同一または対応する特徴を指称するものである。しかし、他の参照番号の使用が必ずそれらが指称する特徴間の差異を表示するものではない。
【発明を実施するための形態】
【００４０】
以下、右足用の靴底１を非常に概略的な形態で示す図１および図２を参照して本発明の一般的な原理を説明する。例えば、３０ショアと５０ショアとの間の硬さの比較的柔らかいエラストマーシートの基本的に平面のピース（ｅｓｓｅｎｔｉａｌｌｙ  ｐｌａｎａｒ  ｐｉｅｃｅ）よりなるミッドソール本体要素３を有する靴底が示されている。このようなミッドソール本体要素３は、例えば、５ｍｍと３０ｍｍとの間の厚さを有し得る。ミッドソール本体要素３の上部表面には、長さ方向の回内運動誘導要素２の一例が示されている。長さ方向の回内運動誘導要素２は、後述するように、一定の厚さを有してもよく、または異なる領域で異なる厚さを有してもよい。長さ方向の回内運動誘導要素２は、例えば、エラストマー材料の分離ピースとして形成されてもよく、ミッドソール本体要素３の上部表面内の対応的に成形された凹部（ｃｏｒｒｅｓｐｏｎｄｉｎｇｌｙ  ｓｈａｐｅｄ  ｒｅｃｅｓｓ）内に挿入されてもよく、またはより硬いミッドソール本体要素３の周囲材料（ｓｕｒｒｏｕｎｄｉｎｇ  ｍａｔｅｒｉａｌ）と同一の工程、例えば射出成形で形成されてもよい。長さ方向の回内運動誘導要素２の硬さは、例えば、５５ショアと８０ショアとの間である。
【００４１】
靴底の長さ方向の回内運動誘導要素２および更なる靴底の多様な他の領域、すなわち、踵領域６、中足領域７、母指球領域８および足指領域９が、一例として図１および図２に示されている。また、点線１０は、理想的な長さ方向の自己受容軸を示す。踵領域６および中足領域７において、自己受容軸は、靴底の外側面において良好であり、回内運動の“補正”量は、これら領域全般において低い。母指球領域および足指領域では、対照的に、自己受容軸が靴底の内側の方に移動し、回内運動の“補正”量は、これらの領域において高い。周囲ミッドソール本体要素３の硬さと比べて、回内運動誘導要素２の硬さが増加していることに起因して、長さ方向の回内運動誘導要素２が使用者の足裏によって容易に感知され、長さ方向の回内運動誘導要素２の各部分の横方向の位置に関する情報が、使用者の全体運動歩行システム（ｇｒｏｓｓ  ｍｏｔｏｒ  ｌｏｃｏｍｏｔｉｏｎ  ｓｙｓｔｅｍ）によって使用され、これに応じて足の回内運動を調整することができ、前述した所望の自己受容を達成する。
【００４２】
図１は、また、靴底のＭ側（内側）からＬ側（外側）に走行する横方向軸Ｍ−Ｌを示す。この軸は、長さ方向の回内運動誘導要素２の断面の考え得る多様な例を説明するときに参照する。
【００４３】
本発明の好ましい実施形態において、長さ方向の回内運動誘導要素２は、回内運動制御を向上させるために、少なくとも踵および／または母指球領域において、横方向（Ｍ−Ｌ軸に平行な方向）に変化する厚さおよび／または硬さを有することができる。したがって、踵領域６において、長さ方向の回内運動誘導要素２は、外側よりも内側においてさらに厚みを増す。このように、長さ方向の回内運動誘導要素２の踵領域６の横方向のプロファイルは、靴底の踵領域において求められる所望の回内運動−抵抗（または回外運動−促進）効果に寄与する。一方、母指球領域では、これとは反対の効果が求められる。
【００４４】
また、内側回内運動制御要素４および外側回内運動制御要素５が、図１および図２に示されている。これらは、長さ方向の回内運動誘導要素２に加えて使用され、靴底の長さに沿って異なる位置で要求される回内運動および回外運動の追加補正を提供する。図示の例で、内側回内運動制御要素４は、基本的に、地面との接触段階の始まりにおいて（すなわち、使用者の体重の大部分が踵上にあり、ミッドソール部７に移動する間に）、使用者の足の回内運動に抵抗する増加した圧力を提供する硬さが増加した領域である。外側回内運動制御要素５は、靴底に沿ってさらに前方の位置で反対の効果を奏するように（すなわち、回内運動を増加させるように）設計される。外側回内運動制御要素５は、ミッドソール本体要素３の材料において、硬さが増大した領域として形成されてもよい。その機能は、使用者の体重が足の母指球に移動する場合に、ステップサイクルの位置において、足の回内運動を補助する。この位置において、最適な回内運動の線１０は、図１で、８で表示された母指球領域において、靴底の外側から内側に交差する（ｃｒｏｓｓｏｖｅｒ）。
【００４５】
内側回内運動制御要素４および外側回内運動制御要素５は、代案として分離要素として形成され、その後、ミッドソール本体要素３の側面に接合されてもよく、または別の方法で付着されてもよい。要求される回内運動制御効果を発揮するために、内側回内運動制御要素４および外側回内運動制御要素５は、ミッドソール本体要素３よりも硬い材料であることが求められる。
【００４６】
例えば、多様な靴底構成要素の相対的な硬さは、次のように構成することができる：
ミッドソール本体要素３は、３０ショア〜５０ショアの範囲内の硬さとすることができる。
内側回内運動制御要素４は、４５ショア〜６５ショアの範囲内の硬さとすることができる。その硬さは、いずれの場合でも、ミッドソール本体要素３の硬さよりも硬く、好ましくは、外側回内運動制御要素５の硬さより硬いか、またはそれと同一である。
外側回内運動制御要素５は、４０ショア〜６０ショアの範囲内の硬さとすることができるが、いずれの場合でも、ミッドソール本体要素３の硬さよりも硬い。
長さ方向の回内運動誘導要素２は、５５ショア〜８０ショアの範囲内の硬さとすることができるが、いずれの場合でも、内側回内運動制御要素４および外側回内運動制御要素５の硬さよりも硬い。
【００４７】
図３ａは、図１および図２の長さ方向の回内運動軸１０に沿う長さ方向の断面の一例を示す。このような第１例の実施形態で、長さ方向の回内運動誘導要素２は、図５ｂに示した形状に対応する、実質的に矩形の横断面を有する。ミッドソール本体要素３の地面対向面上にアウトソール１１を有する靴底１が示されている。図３ｂは、このような長さ方向の回内運動誘導要素２を斜視図で示す。
【００４８】
図４ａ〜図４ｃは、周囲のミッドソール本体要素３よりも硬い材料の領域７’を形成するように、中足領域７における長さ方向の回内運動誘導要素２の厚みがさらに大きい代案的な実施形態の例を示す。この領域７’は、歩行増強要素とも呼ばれ、その目的は、地面との足との初期接触段階において、靴底１の比較的柔らかい踵領域６から、さらに硬い中足領域７’にわたって、靴底１のさらに柔らかい母指球領域８への使用者の体重の移動を向上させるものである。
【００４９】
さらに硬くて厚い部分７’は、図４ａに示すように、アウトソール１１と接触するように下方に延長してもよく、またはミッドソール本体要素３（図示しない）内に部分的にのみ延長する、単に長さ方向の回内運動誘導要素２の肥厚部であってもよい。
【００５０】
歩行増強要素７’が、長さ方向の回内運動誘導要素２と隣接するものとして図４ａおよび図４ｂに示されているが、歩行増強要素７’は、代案的に長さ方向の回内運動誘導要素２の下方に形成されるか、または挿入される分離要素として形成されてもよい。また、これは、長さ方向の回内運動誘導要素２およびミッドソール本体要素３の両方と異なる硬さとし得る。
【００５１】
図４ｂに示された第３実施形態において、歩行増強要素７’は、ミッドソール本体要素３を通じて、かつアウトソール要素１１内の開口を通じて完全に延長する。
【００５２】
長さ方向の回内運動制御要素２の硬さが増加した結果として、周囲ミッドソール３のさらに柔らかい材料に対して、使用者は、自己受容線の外側に位置する点からよりは、この自己受容線上に位置する点からさらに多い圧力および支持を感じる。使用者が各足の転がり動作中に静止体重および動的力から生ずる使用者の動的力ベクトルを遷移させる度に、このような動的ベクトルがこれ以上このような突出線を通過しないように、使用者は、足が最適の地面接触の自己受容線からの離脱を感知する度に、立ち止まっている時、歩行時またはランニング時に所望のフィードバックを経験する。
【００５３】
図５ａに示されたように、長さ方向の回内運動制御要素２は、例えば台形断面とすることができる。他の可能性ある断面プロファイルが図５ｂ〜図５ｉに示されている。
【００５４】
図５ｄおよび図５ｅは、長さ方向の回内運動制御要素２の下部表面が凹状であり、これによって、最適地面接触のメイン自己受容線から離脱する自己受容効果をさらに詳しく説明する変形例を示している。
【００５５】
図５ｆ〜図５ｉは、長さ方向の回内運動制御要素２の断面がウェッジ形状またはテーパーリングである変形例を示している。したがって、長さ方向の回内運動制御要素２の厚さは、外側面から内側面に向けて減少してもよく、またはその反対であってもよい。その結果、歩行時またはランニング時に、このような靴底を使用すれば、地面との足の最大接触圧力線が横方向に（内側から外側にまたはその反対に）移動する。長さ方向の回内運動制御要素２は、内側面上よりは、外側面上においてさらに厚くなってもよく、これにより、例えば、外またの人の歩行を補正することができる。または、長さ方向の回内運動制御要素２は、外側面に向けてさらに厚くなってもよく、この場合、内またの人の歩行を補正するために使用できる。
【００５６】
図面は、ミッドソール本体要素３の上部表面と同じ高さとなる長さ方向の回内運動制御要素２を示していることに留意しなければならない。しかしながら、長さ方向の回内運動制御要素２は、また、周囲のミッドソール本体要素３の表面（例えば０．５〜３ｍｍの高さ分だけ）にあるように配列されてもよい。このように、さらに柔らかいミッドソール要素３から突出するように、さらに硬い長さ方向の回内運動制御要素２を配列することによって、自己受容効果を非常に増強することができる。
【００５７】
代案として、長さ方向の回内運動制御要素２は、ミッドソール本体要素の周囲材料内に凹設されてもよく、または埋め込まれてもよい。この場合、自己受容は、多少弱くなってもよい。
【００５８】
さらに硬い長さ方向の回内運動制御要素２は、必ず周囲ミッドソール要素よりも柔軟性を減らしてはならないことを留意しなければならない。足の接触経路（回内運動経路）が、靴底の長さ方向の柔軟性を減少させずに、増加された圧力の線（最適接触線）をあらかじめ決定することによって誘導され得るように、長さ方向の回内運動制御要素２をミッドソール要素よりも硬いが、柔軟にすることが有利である。
【００５９】
１つの好ましい実施形態において、長さ方向の回内運動制御要素の踵領域６は、使用者の体重が主に踵上にあるとき、歩行の初期地面接触段階において過剰回内運動に抵抗するように、外側面上よりも内側面上においてさらに厚くすることができる。
【００６０】
他の好ましい実施形態において、長さ方向の回内運動制御要素２の母指球部８は、靴底の内側Ｍから外側Ｌに計数する第１、第２、第３、第４および第５中足骨領域を有し、長さ方向の回内運動制御要素２の厚さおよび／または硬さは、第１中足骨領域から第５中足骨領域に増加するように構成することができる。
【００６１】
その結果、足の踵部、中足部、母指球部および前足部の順で地面と接触する足の靴底と地面上で足が転がるとき、母指球部での上記厚さおよび／または硬さ勾配により足が回内運動する、すなわち、足に作用する体重が、靴底の外側Ｌにある中足部でのその初期位置から内側Ｍにある母指球部での後続位置に移動する。すなわち、足の母指球部および靴底が地面上で転がる間に、足の回内運動が促進される。したがって、地面上での足の転がりの第１段階中に、中足部の外側に作用し、その後、母指球部の外側に作用する体重が、母指球部の外側から母指球部の内側に向けて移動し、その後、地面上での足の転がりの第２段階中に、体重が母指球部の内側に作用し、その後、前足部の内側、すなわち一番目の足指上に作用する。
【００６２】
靴底の母指球部での第１中足骨部分、第２中足骨部分、第３中足骨部分、第４中足骨部分および第５中足骨部分のこれら条件により、足の転がり動作中に、体重が外側Ｌから内側Ｍに向けて移動する。
【００６３】
さらに明確に、体重が外側Ｌ上に位置する状態で、中足部が地面上を転がり、その後、体重が母指球部の外側Ｌから母指球部の内側Ｍに向けて移動する状態で、母指球部が地面上を転がり、最後に、体重が内側Ｍ上に位置する状態で、前足部が地面上を転がる。母指球部内でのこの移動動作の初めに、母指球部の第５中足骨部分は、母指球部の隣り合う第４中足骨部分および第３中足骨部分よりもさらに多い支持を提供する。母指球部内での移動動作の終わりに、母指球部の第１中足骨部分が母指球部の第２中足骨部分よりもさらに多い支持を提供する。すなわち、外側Ｌ上の第５中足骨部分により、足が回内運動し、内側Ｍ上の第１中足骨部分が、足の過度な回内運動を防止する。
【００６４】
したがって、靴底の母指球部での第１中足骨部分、第２中足骨部分、第３中足骨部分、第４中足骨部分および第５中足骨部分のこれらの条件は、実質的にＳ字型の線に沿って配置された２個の連続する傾いた曲線（ｂａｎｋｅｄ  ｃｕｒｖｅ）と類似の効果を有する。これらの条件を使用すると、実質的にＳ字型の線に沿う右足の転がり動作中に、右足は、まず外側Ｌにおいて左に傾いた曲線を通過し、その後、内側Ｍにおいて右に傾いた曲線を通過する。同様に、実質的にＳ字型線に沿う左足の転がり動作中に、左足は、まず外側Ｌにおいて右に傾いた曲線を通過し、その後、内側Ｍにおいて左に傾いた曲線を通過する。
【００６５】
類似の厚さおよび／または硬さ勾配は、靴底の前足部または足指部に設けてもよい。このように、二番目の足指（Ｔ２）と関連するか、またはその下方にある靴底の領域は、一番目、三番目、四番目および五番目の足指のいずれかと関連するか、またはその下方にある靴底の領域よりも厚さおよび／または硬さが小さく構成されてもよい。好ましくは、これは、母指球部に隣接する前足部または足指部の一部に適用される。母指球部のＭ２部分および選択的に隣接する前足部のＴ２部分でのこのような凹形（“カンチレバー”）および／または柔らかい領域により、第２の中足骨に対する圧力が一部軽減される。
【００６６】
要約すれば、局所的な支持の量、すなわち、本発明による靴底を使用する足の裏に下方から作用する局所的な支持力は、靴底全体の厚さおよび／または硬さプロファイルによって決定されることに留意しなければならない。少なくともミッドソール本体要素および地面接触部（アウトソール）は、それらの局所的な硬さおよび局所的な幾何学的構造、例えば、それらの局所的な厚さ分布および可能なスリットの分布によって、結果として生じる局所的な支持量に寄与する。また、下部および／または上部インソール部には、結果として生じる局所的な支持量に対するそれらの追加の寄与がもたらされる。靴底の地面接触部（踵部、中足部、母指球部および前足部）および選択的なインソール部（下部および／または上部のインソール部）は、いずれも実質的にＳ字型の線に沿って延長する、長さ方向の回内運動制御要素２によって定義された支持プロファイルに追加的に寄与する。
【００６７】
図５ｄまたは図５ｅに示されたようなカンチレバープロファイルが、靴底１の母指球部８および前足部９に提供されてもよい。第２の中足骨Ｍ２と関連する靴底１の領域は、他の中足骨と関連する靴底の領域よりも小さい厚さおよび／または硬さを有する。また、前足部９の少なくとも一部または母指球部８に隣接する靴底の足指部、すなわち、二番目の足指（Ｔ２）と関連する靴底１の領域は、他の足指と関連する靴底の領域よりも小さい厚さおよび／または硬さを有する。好ましくは、これは、前足部９の足指部に適用される。このような設計は、第２中足骨（Ｍ２）に対する圧力を減少させ、歩行中に第２中足骨（Ｍ２）と二番目の足指（Ｔ２）との間の関節に対して少しの軽減を提供する。
【００６８】
また、靴底１の内側Ｍと外側Ｌとの間に、第１中足骨部分Ｍ１、第２中足骨部分Ｍ２、第３中足骨部分Ｍ３、第４中足骨部分Ｍ４および第５中足骨部分Ｍ５を有する母指球部８の横方向の厚さプロファイルおよび／または硬さプロファイルに対して、次の条件を適用することができる：
【００６９】
ａ）Ｍ２の厚さおよび／または硬さは、Ｍ１、Ｍ３、Ｍ４およびＭ５のいずれかの厚さおよび／または硬さよりも小さく、好ましくは、Ｍ１、Ｍ３、Ｍ４およびＭ５は、いずれも同一の厚さおよび／または硬さを有する。
（“Ｍ２＜Ｍ１、Ｍ３、Ｍ４、Ｍ５および好ましくはＭ１＝Ｍ３＝Ｍ４＝Ｍ５”）
【００７０】
ｂ）Ｍ１の厚さおよび／または硬さは、Ｍ２の厚さおよび／または硬さよりも大きく、Ｍ３、Ｍ４およびＭ５の厚さおよび／または硬さは、いずれもＭ１とＭ２の厚さおよび／または硬さの間である。
（“Ｍ２＜Ｍ３、Ｍ４、Ｍ５＜Ｍ１”)
【００７１】
ｃ）Ｍ１の厚さおよび／または硬さは、Ｍ２の厚さおよび／または硬さよりも大きく、Ｍ３、Ｍ４およびＭ５の厚さおよび／または硬さは、いずれもＭ１の厚さおよび／または硬さよりも大きい。
（“Ｍ２＜Ｍ１＜Ｍ３、Ｍ４、Ｍ５”）
【００７２】
ｄ）Ｍ１の厚さおよび／または硬さは、Ｍ２の厚さおよび／または硬さよりも大きく、Ｍ３の厚さおよび／または硬さは、Ｍ４の厚さおよび／または硬さよりも大きく、Ｍ４の厚さおよび／または硬さは、Ｍ５の厚さおよび／または硬さよりも大きい。
（“Ｍ２＜Ｍ１およびＭ３＞Ｍ４＞Ｍ５”）
【００７３】
ｅ）Ｍ１の厚さおよび／または硬さは、Ｍ２の厚さおよび／または硬さよりも大きく、Ｍ３の厚さおよび／または硬さは、Ｍ４の厚さおよび／または硬さよりも小さく、Ｍ４の厚さおよび／または硬さは、Ｍ５の厚さおよび／または硬さよりも小さく、好ましくは、Ｍ２の厚さおよび／または硬さは、Ｍ３、Ｍ４およびＭ５のいずれかの厚さおよび／または硬さよりも小さい。条件ｅ）が最も好ましい条件である。
（“Ｍ２＜Ｍ１およびＭ３＜Ｍ４およびＭ４＜Ｍ５”および好ましくは、Ｍ２＜Ｍ３、Ｍ４、Ｍ５”）
【００７４】
靴底１の母指球部５の第１中足骨部分Ｍ１、第２中足骨部分Ｍ２、第３中足骨部分Ｍ３、第４中足骨部分Ｍ４および第５中足骨部分Ｍ５のこれら条件により、足の転がり動作中に、体重が、外側Ｌから内側Ｍに向けて移動する。
【００７５】
さらに明確に、踵部３と地面とが接触し、その後外側Ｌに体重がかかった状態で地面上で中足部７が転がり動作をした後に、母指球部８は、体重が母指球部８の外側Ｌから母指球部８の内側Ｍに向けて移動するとともに、地面上で転がり、最後に、前足部９が内側Ｍ上に位置する体重により地面上で転がる。母指球部８内におけるこの移動動作の開始で、母指球部８の第５中足骨部分Ｍ５は、母指球部８の隣り合う第４中足骨部分Ｍ４および第３中足骨部分Ｍ３よりもさらに多い支持を提供する。母指球部８内におけるこのような移動動作の終わりにおいて、母指球部８の第１中足骨部分Ｍ１は、母指球部８の第２中足骨部分Ｍ２よりもさらに多い支持を提供する。したがって、外側Ｌ上の第５中足骨部分Ｍ５により、足が回内運動し、内側Ｍ上の第１中足骨部分Ｍ１が足の過度な回内運動を防止する。
【００７６】
また、靴底１の内側Ｍと外側Ｌとの間に、一番目の足指部分Ｔ１、二番目の足指部分Ｔ２、三番目の足指部分Ｔ３、四番目の足指部分Ｔ４および五番目の足指部分Ｔ５を有する前足部６の横方向の厚さおよび／または硬さプロファイルに対して類似の条件を適用することができる：
【００７７】
ａ）Ｔ１の厚さおよび／または硬さは、Ｔ２、Ｔ３、Ｔ４およびＴ５のいずれかの厚さおよび／または硬さよりも大きく、好ましくは、Ｔ２、Ｔ３、Ｔ４およびＴ５は、いずれも同一の厚さおよび／または硬さを有する。
（“Ｔ１＞Ｔ２、Ｔ３、Ｔ４、Ｔ５および、好ましくはＴ２＝Ｔ３＝Ｔ４＝Ｔ５”）
【００７８】
ｂ）Ｔ１の厚さおよび／または硬さは、Ｔ２の厚さおよび／または硬さよりも大きく、Ｔ２の厚さおよび／または硬さは、Ｔ３の厚さおよび／または硬さよりも大きく、Ｔ３の厚さおよび／または硬さは、Ｔ４の厚さおよび／または硬さよりも大きく、Ｔ４の厚さおよび／または硬さは、Ｔ５の厚さおよび／または硬さよりも大きい。
（“Ｔ１＞Ｔ２＞Ｔ３＞Ｔ４＞Ｔ５”）
【００７９】
ｃ）Ｔ１の厚さおよび／または硬さは、Ｔ２、Ｔ３、Ｔ４およびＴ５のいずれかの厚さおよび／または硬さよりも小さく、好ましくは、Ｔ２、Ｔ３、Ｔ４およびＴ５は、いずれも同一の厚さおよび／または硬さを有する。
（“Ｔ１＜Ｔ２、Ｔ３、Ｔ４、Ｔ５および好ましくはＴ２＝Ｔ３＝Ｔ４＝Ｔ５”）
【００８０】
ｄ）Ｔ１の厚さおよび／または硬さは、Ｔ２の厚さおよび／または硬さよりも小さく、Ｔ２の厚さおよび／または硬さは、Ｔ３の厚さおよび／または硬さよりも小さく、Ｔ３の厚さおよび／または硬さは、Ｔ４の厚さおよび／または硬さよりも小さく、Ｔ４の厚さおよび／または硬さは、Ｔ５の厚さおよび／または硬さよりも小さい。
（“Ｔ１＜Ｔ２＜Ｔ３＜Ｔ４＜Ｔ５”）
【００８１】
ｅ）Ｔ１の厚さおよび／または硬さは、Ｔ２の厚さおよび／または硬さよりも大きく、Ｔ２は、Ｔ３と同一の厚さおよび／または硬さを有し、Ｔ３の厚さおよび／または硬さは、Ｔ４の厚さおよび／または硬さよりも小さく、Ｔ４の厚さおよび／または硬さは、Ｔ５の厚さおよび／または硬さと同一であるか、またはそれよりも小さい。
（“Ｔ１＞Ｔ２およびＴ２＝Ｔ３およびＴ３＜Ｔ４およびＴ４＜Ｔ５”）
【００８２】
上述の横方向プロファイルにおいて、厚さおよび／または硬さセクションＭ１、Ｍ２、Ｍ３、Ｍ４、Ｍ５とＴ１、Ｔ２、Ｔ３、Ｔ４、Ｔ５との間の転移は、それぞれ階段式または円滑な転移であってもよい。
【００８３】
長さ方向の回内運動誘導要素２は、固体の弾性重合体材料であってもよく、粒状材料または粉末材料のようなばら材料（ｌｏｏｓｅ  ｍａｔｅｒｉａｌ）を充填したモールド形状または中空形状であってもよい。
【図１】
0006342410.tif 000002
【図２】
0006342410.tif 000003
【図３ａ】
0006342410.tif 000004
【図３ｂ】
0006342410.tif 000005
【図４ａ】
0006342410.tif 000006
【図４ｂ】
0006342410.tif 000007
【図４ｃ】
0006342410.tif 000008
【図５ａ】
0006342410.tif 000009
【図５ｂ】
0006342410.tif 000010
【図５ｃ】
0006342410.tif 000011
【図５ｄ】
0006342410.tif 000012
【図５ｅ】
0006342410.tif 000013
【図５ｆ】
0006342410.tif 000014
【図５ｇ】
0006342410.tif 000015
【図５ｈ】
0006342410.tif 000016
【図５ｉ】
0006342410.tif 000017